(57)【要約】【課題】  空調熱負荷の軽減、ヒートアイランド現象の抑制などを期待した緑化軽量建築材を提供すること。【解決手段】  保水性、吸水性、通気性ポリエステル繊維ボードのコケ緑化基板への使用。上記ポリエステル繊維ボードは好ましくは吸水性ポリエステル繊維を含有するポリエステル繊維組成物のボードである。ポリエステル繊維ボードの基板上に、マット状コケ植物を載置し、その表面をメッシュ状のネットで覆い、それらを固定したことを特徴とするコケ緑化用マット。ポリエステル繊維ボードとマット状コケ植物との間に小孔を多数有する不織布を介在させることができる。マット状コケ植物は、コケ種苗を砂栽培基盤あるいはポリエステル繊維栽培基盤上でマット状に育成繁茂させたあと、該栽培基盤から剥がしたものである。ミシンにより縫合して、あるいはタッカーを打ち込んで固定する。上記コケ緑化マットを型枠内に配置するパネル工法でパネル化したことを特徴とするコケ緑化用パネル。【選択図】        図１
2005168370.tif 000002
【特許請求の範囲】
【請求項１】
保水性、吸水性、通気性ポリエステル繊維ボードのコケ緑化基板への使用。
【請求項２】
ポリエステル繊維ボードが吸水性ポリエステル繊維を含有するポリエステル繊維組成物のボードである請求項１の使用。
【請求項３】
ポリエステル繊維ボードの基板上に、マット状コケ植物を載置し、その表面をメッシュ状のネットで覆い、それらを固定したことを特徴とするコケ緑化用マット。
【請求項４】
ポリエステル繊維ボードとマット状コケ植物との間に小孔を多数有する不織布を介在させる請求項３のコケ緑化用マット。
【請求項５】
マット状コケ植物が、コケ種苗を砂栽培基盤あるいはポリエステル繊維栽培基盤上でマット状に育成繁茂させたあと、該栽培基盤から剥がしたものである請求項３または４のコケ緑化用マット。
【請求項６】
ミシンにより縫合して、あるいはタックを打ち込んで固定する請求項３ないし５のいずれかのコケ緑化用マット。
【請求項７】
請求項３ないし６のいずれかのコケ緑化マットを型枠内に配置するパネル工法でパネル化したことを特徴とするコケ緑化用パネル。
【発明の詳細な説明】
【技術分野】
【０００１】
本発明は、リサイクル品であるポリエステル繊維のボードをコケ緑化マットに使用する技術に関する。
【背景技術】
【０００２】
ポリエステル繊維の不織布は、安価で気孔率が９０％以上の多孔質材料であり、また、廃ペットボトルからの再生繊維により製造することも可能である。通常、ポリエステル繊維の不織布は２〜４０デニールの太さのポリエステル繊維５０〜９０％に対して、バインダーとして低融点繊維を絡めたポリエステル繊維を５０〜１０％配合し、混合した後、ほぐし工程、すき工程を経て、積層成形されることにより製造されている。
不織布は、気孔率が９０％以上の多孔質材料であり軽量で断熱性に富み、また弾性に富むことから、これまで敷き布団の芯材として活用されてきた。しかし、廃ペットボトルのリサイクルについて社会的要求が増し、また環境ホルモンとしていろいろな高分子を含む材料が問題視される中、ポリエステルが安全な材料として認知されていることなどを考えると、ポリエステル繊維の不織布の他の分野での用途開発を図るために、新しい形態の材料とする必要がある（特許文献１）。
【０００３】
一方、都市における空調による熱負荷を軽減すること、ヒートアイランド現象を抑制することなどを期待した緑化建築の考えが浸透しつつあるが、緑化にはメンテナンスコスト、パネルなどの重量やコストの問題を解決しなければならず、普及には至っていないのが実情である。非特許文献１は、軽量性に着目したコケマットによる屋上緑化の可能性を示唆するものではあるが、植栽基盤材に育成定着させたコケマットを軽量パネル化する具体的手法についての開示まではなされていない。
【特許文献１】特開２００３−８９９５９号公報
【非特許文献１】山田宏之著「都市環境とみどり」（LANDSCAPE & GREENERY 2003）(株)インタラクション/環境緑化新聞,2002年発行,p34〜35
【発明の開示】
【発明が解決しようとする課題】
【０００４】
本発明は、下記ａ〜ｉの空調熱負荷の軽減、ヒートアイランド現象の抑制などを期待した緑化軽量建築材を提供することを目的とする。
ａ．断熱による省エネ効果；冷暖房費を大幅に節約する。例、500m2の10階建ビルで年間約180万円の省エネ効果がある。
ｂ．建物の長寿命化；紫外線遮断により大幅に寿命が延びる。
ｃ．癒しの効果；居住者の心を癒す。
ｄ．保水効果；都市水害を緩和する。
ｅ．大気の浄化；緑が空気を浄化する。
ｆ．騒音防止；交通騒音を吸収する。
ｇ．ヒートアイランド現象の解消；都市部の灼熱現象を緩和する。１０％緑化率アップすれば１〜３℃の気温を下げる。夏６０℃にもなる気温を３０℃にも下げることも可能である。
ｈ．景観の向上；都市環境に潤いを提供する。
ｉ．高価な土地を確保することなく緑化が可能；ビル屋上の有効利用ができる。
すなわち、本発明は、植栽基盤材に育成定着させたコケマットを軽量パネル化することを目的とする。また、本発明は、廃ペットボトルからの再生繊維により製造した不織布を空調熱負荷の軽減、ヒートアイランド現象の抑制を期待した緑化軽量建築材として利用することを目的とする。
【課題を解決するための手段】
【０００５】
本発明は、以下の(１)および(２)のコケ緑化基板への使用を要旨とする。
(１) 保水性、吸水性、通気性ポリエステル繊維ボードのコケ緑化基板への使用。
(２) ポリエステル繊維ボードが吸水性ポリエステル繊維を含有するポリエステル繊維組成物のボードである上記(１)の使用。
【０００６】
また、本発明は、以下の(３)ないし(６)のコケ緑化用マットを要旨とする。
(３) ポリエステル繊維ボードの基板上に、マット状コケ植物を載置し、その表面をメッシュ状のネットで覆い、それらを固定したことを特徴とするコケ緑化用マット。
(４) ポリエステル繊維ボードとマット状コケ植物との間に、小孔を多数有する不織布を介在させる上記(３)のコケ緑化用マット。
(５) マット状コケ植物が、コケ種苗を砂栽培基盤あるいはポリエステル繊維栽培基盤上でマット状に育成繁茂させたあと、該栽培基盤から剥がしたものである上記(３)または(４)のコケ緑化用マット。
(６) ミシンにより縫合して、あるいはタックを打ち込んで固定する上記(３)ないし(５)のいずれかのコケ緑化用マット。
【０００７】
また、本発明は、以下の(７)のコケ緑化用パネルを要旨とする。
(７) 上記(３)ないし(６)のいずれかのコケ緑化マットを型枠内に配置するパネル工法でパネル化したことを特徴とするコケ緑化用パネル。
【発明の効果】
【０００８】
ペットボトル等ポリエステル樹脂製品の廃材の有効利用ができるとともに建築土木分野におけるヒートアイランド対策に利用が可能である。パネル化してあるので、即日緑化が可能であり、しかも施工も容易である。スナゴケ、ハイゴケをはじめとする各種コケ類で建築物壁面を早期に緑化することで、建築物壁面や道路遮音壁等の従来緑化が困難で在った場所の緑化が容易となるためであり、都市構造物における建築物壁面や道路遮音壁等は、一般の植物の生育には不適な場所が多い。ただし、コケ植物はこのような場所でこそ他の植物との競争することなく生育でき、環境に適合して旺盛に繁茂できるためである。
【発明を実施するための最良の形態】
【０００９】
本発明の緑化の対象は、カーポート、公共施設、民間建造物、産業施設などの広い面積で広範囲にわたるものである。建物だけではなく、屋根、屋上の改築や都市計画上の再開発プロジェクトに及ぶ。
【００１０】
本発明で使用するコケ（苔）は、タイ類（葉と茎の区別のつかないコケ類）、セン類（葉と茎の区別がはっきりつくコケ類）があり、半日陰性・乾燥性（日陰で乾燥を好む）の山コケ、半日陰性・湿潤性（乾燥に弱く安定した湿度を要する）のヒノキコケ、コツボコケ、ハイゴケ、好日性・湿潤性（日のよく当たる場所に生息し、炎天下では葉をとじて休眠する）のスナコケ（湿った砂地）、スギコケ（早朝の朝露）が例示され、使用場所によって適宜選択される。
【００１１】
スナコケは、太陽光、夜露、雨水のみで生育する。厳寒、酷暑地でも生育し、無機質な基盤に固定生育する。このような資質のスナコケは、ビルディングの屋上緑化、民家の屋根緑化、カーポートの緑化、建物の壁面緑化、道路の中央分離帯緑化に最適であり、ガーデニング、観賞用にも用いることができる。
【００１２】
本発明の緑化マットは、ポリエステル繊維ボード、コケ植物、好ましくはマット状コケ植物、およびメッシュ状のネットの積層体であり、または、ポリエステル繊維ボード、不織布、およびコケ植物、好ましくはマット状コケ植物、およびメッシュ状のネットの積層体である。
【００１３】
コケ緑化基板には吸水性、保水性を有するポリエステル繊維ボードを用いる。このポリエステル繊維ボードは、ペットボトル等のポリエステル樹脂製品を再加工して製造することができるが、それに限定されることはない。
ポリエステル繊維ボードの保水性は、気孔率９０％以上の多孔質材であるため気孔に水が保持され余剰水は排出される。吸水性は、親水性を有するポリエステル綿を約２０％配合することで保水した水を長期間にわたって保持することができる。
ポリエステル繊維の不織布基板はタッカー止め、縫合などにより固定するため、３kg/m2重量で厚みが５〜１０mm、もしくは４kg/m2重量で厚みが５〜１０mm程度の密度が要求される。硬質繊維ボードであるため、従来のマットと比べ取り扱いが簡単であり、コケマットを折ったり傷めたりすることがない。
【００１４】
本発明においては、ポリエステル繊維ボードの基板上に、マット状コケ植物を載置し、コケ植物の脱落、飛散を防ぐために、メッシュ状のネットをその表面に配置する。ネットは、ポリプロピレンなどの耐水性、耐候性の合成樹脂を用いたもので、目合は通常２ｍｍ〜２０ｍｍである。４mm〜１０mm枠の編んでいないものが好ましい。
【００１５】
ポリエステル繊維ボードとマット状コケ植物との間には、各種の不織布（ランダムな小孔を多数有する不織布マット）を介在させることができる。この不織布は、耐候性に優れた材料を使用する。この不織布の材料として、不織布用の耐候性に優れた素材としては、麻、綿、絹（天然系）、ナイロン、エステル、ポリプロピレン等を使用することができる。
すなわち、ランダムな小孔を多数有する不織布マット、例えば５mmないし１０mm厚さのポリエステルマットを介在させることができる。
【００１６】
マット状コケ植物は、コケ種苗を砂植栽基盤あるいはポリエステル繊維植栽基盤上で２〜３年育成しマット状に育成繁茂させ植栽基盤材に育成定着させたあと、該植栽基盤から剥がしたコケマットである。あるいは、コケ植物は、コケ緑化用マットの形態にしてから、すなわち、ポリエステル繊維ボードの基板上にポリエステル繊維不織布マットを置いて、コケ種苗を育成繁茂させてマット状コケ植物にしたものをそのままの状態で用いることができる。
【００１７】
本発明のコケ緑化用マットの製造方法を説明する。
ポリエステル繊維ボードを配置する。この上面部に直接コケ植物を配置する。あるいはポリエステル繊維ボード上面部に不織布を配置しこの不織布の上面部に、コケ植物を配置する。ついで、表面をメッシュ状のネットで覆い、それらをミシンにより縫合して、あるいはタッカーを打ち込んで固定し、コケ緑化用マットを得る。
【００１８】
本発明のコケ緑化マットは、例えば上面が解放した型枠内に配置するパネル工法でパネル化し、パネルの通常の施工方法により型枠を介して壁面や床面等に施工することができる。
【実施例１】
【００１９】
図１ないし図３は第１実施例を示したもので、ポリエステル繊維ボード２からなるマットベース上にコケ植物３を配置し、さらにコケ植物の離脱を防ぐため積層体をネット４で被覆し（図１）、それら３者を、タッカーを用いてタック５により一体化する（図２）か、工業用ミシン（畳製造用ミシン）を用いて縫合用糸６により一体化して（図３）緑化マット１を形成する。
【００２０】
上記のようにして製造したコケ緑化マット１は、床面の様に負荷の係らないような場所には、両面接着テープなどを用いて固定することで充分に目的を達成できるが、壁面・法面の様に負荷の係る部分には、コンクリート用の釘やアンカーを用いて固定することができる（図７参照）。
【実施例２】
【００２１】
図４ないし図６は第２実施例を示したもので、ポリエステル繊維ボード２からなるマットベース部に、多数の小孔７を設けた５〜１０mm程度で保水性を有するポリエステル繊維不織布マット８に、コケ植物３を積層し、さらにコケの離脱を防ぐため積層体をネット４で被覆し（図４）、それら４者を、タッカーを用いタック５により一体化する（図５）か、工業用ミシン（畳製造用ミシン）を用いて縫合用糸６により一体化して（図６）コケ緑化マット１を形成したものであり、第１実施例と同様の施工方法により、床面、壁面、法面に適用することができる（図７参照）。
【実施例３】
【００２２】
図８に示すように、実施例１または実施例２のコケ緑化マット１を、上面が解放した型枠９内に設置し、型枠９を介して壁面や床面等に施工する例であり、上記実施例１、２と同様に床面（図９参照）、壁面（図１０参照）、法面に適用することができる。
なお、図８〜１０ではネットの記載を省略してある。
【産業上の利用可能性】
【００２３】
ペットボトル等ポリエステル樹脂製品の廃材とコケ植物とを組み合わせて用いることで、建築物壁面や道路遮音壁等の従来緑化が困難で在った場所の即日かつ容易な緑化が可能であり、建築土木分野におけるヒートアイランド対策に利用が可能である。
【図面の簡単な説明】
【００２４】
【図１】コケ緑化用マットの実施例の層構成を説明する図面である。
【図２】図１のコケ緑化マットをタックで一体化した態様の断面図である。
【図３】図１のコケ緑化マットを縫合して一体化した態様の断面図である。
【図４】コケ緑化用マットの他の実施例の層構成を説明する図面である。
【図５】図４のコケ緑化マットをタックで一体化した態様の断面図である。
【図６】図４のコケ緑化マットを縫合して一体化した態様の断面図である。
【図７】コケ緑化マットを直接壁面に釘、アンカーで固定する態様を説明する図面である。
【図８】コケ緑化用マットをパネル化した実施例を説明する図面である。
【図９】コケ緑化用マットのパネルを平地に用いる態様を説明する図面である。
【図１０】コケ緑化マットのパネルを壁面用し施工する態様を説明する図面である。
【符号の説明】
【００２５】
１  コケ緑化用マット
２  ポリエステル繊維ボード  
３  コケ植物
４  ネット
５  タック
６  縫合用糸
７  小孔
８  多数の小孔を有するポリエステル繊維マット
９  型枠
【図１】
2005168370.tif 000003
【図２】
2005168370.tif 000004
【図３】
2005168370.tif 000005
【図４】
2005168370.tif 000006
【図５】
2005168370.tif 000007
【図６】
2005168370.tif 000008
【図７】
2005168370.tif 000009
【図８】
2005168370.tif 000010
【図９】
2005168370.tif 000011
【図１０】
2005168370.tif 000012